(57)【要約】【課題】露光作動終了時の衝撃で生ずる羽根のバウンドを確実に抑止し羽根の戻りを阻止できるフォーカルプレンシャッタの提供。【解決手段】第１駆動部材の第３押動部１１ｇが、係止レバー１５の第３被押動部１５ｇを、永久磁石１５ｂが鉄芯１６ａに完全に接触するまで押動し続けるので、係止レバー１５のバウンドが確実に抑えられ、係止レバー１５の第１係止部１５ａによる第１駆動部材の第１被係止部１１ｃの係止を、より一層確実に行うことができる。これにより、撮像装置の使用状況に影響されずに撮影サイクルの短縮、連写のコマ速アップがより一層確実にできる。【選択図】図７
2017067906.tif 000002
【特許請求の範囲】
【請求項１】
被写体光路用の開口部を有する地板と、前記地板に対して回転可能なアーム及び該アームに連結された羽根部材とからなる羽根と、前記羽根と連結されると共に押動部を有する第１駆動部材と、駆動ばねにより露光作動方向に付勢されると共に前記第１駆動部材と一体的に作動し得る第２駆動部材と、前記第１駆動部材の押動部に押動される被押動部及び永久磁石を有する係止レバーと、前記永久磁石と接触し得る鉄芯を有する電磁石と、を備え、前記第１駆動部材が前記第２駆動部材と一体的に作動する時、前記第１駆動部材の押動部が前記係止レバーの被押動部を該係止レバーの永久磁石と前記電磁石の鉄芯が接触するまで押動するようにしたことを特徴とする撮像装置用フォーカルプレンシャッタ。
【請求項２】
前記係止レバーには係止部が形成されていて、前記第１駆動部材には被係止部が形成されており、前記係止レバーの永久磁石が前記電磁石の鉄芯に接触した時に前記第１駆動部材の被係止部が前記係止レバーによる係止位置に位置決めされるようにしたことを特徴とする請求項１に記載の撮像装置用フォーカルプレンシャッタ。
【請求項３】
前記第１駆動部材に対する前記係止レバーの係合が、電磁石への通電による永久磁石に対する反発により解除されるようにしたことを特徴とする請求項２に記載の撮像装置用フォーカルプレンシャッタ。
【請求項４】
請求項１〜３のいずれかに記載の撮像装置用フォーカルプレンシャッタを備えていることを特徴とする撮像装置。
【発明の詳細な説明】
【技術分野】
【０００１】
本発明は、被写体光路用の開口部を開閉する羽根を有するシャッタと、撮像素子の電子シャッタを併用した撮像装置用フォーカルプレンシャタ及び撮像装置に関するものである。
【背景技術】
【０００２】
従来、この種の関連技術には、例えば特許文献１に記載のもののように、露光作動終了時の衝撃で生じる羽根のバウンドを抑止し羽根の戻りを阻止できるフォーカルプレンシャッタが提案されている。このフォーカルプレンシャッタは、図６、図７に示されるように、露光作動終了時に、第１駆動部材１１の衝突部１１ｇが、係止レバー１５の被衝突部１５ｇに当接する。これにより、係止レバー１５は、反時計方向に回転させられて、第１の被係止部１１ｃを係止する位置に強制的に復帰させられる。またこの時、係止レバー１５の永久磁石１５ｂが、係止レバー用電磁石１６の鉄芯部材１６ａに吸着し、係止レバー１５を反時計方向に付勢する。これにより、第１駆動部材１１は、長孔１ｂの下方端部に当接したときの、緩衝部材３によっては吸収しきれない衝撃によるバウンドを防止できるようになり、露光に悪影響を与える羽根の戻りを防止できるようになっている。          
【０００３】
しかし、特許文献１のように、第１駆動部材１１の衝突部１１ｇが、係止レバー１５の被衝突部１５ｇに当接して、係止レバー１５を反時計方向に回転させた時、係止レバー１５の永久磁石１５ｂが、係止レバー用電磁石１６の鉄芯１６ａに吸着するものの、デジタルカメラ等の撮像装置の使用環境によっては、永久磁石１５ｂと鉄芯１６ａが当接した時に発生するバウンドや、羽根を開放方向へ回転させるセットばね５の付勢力により、両者が吸着せずに係止レバー１５がバウンドして時計方向に回転してしまい、係止レバー１５が第１駆動部材１１を係止できない可能性がある。そのため、撮影タイムラグや連写速度が不安定になる虞があった。
【先行技術文献】
【特許文献】
【０００４】
【特許文献１】特開２０１５−９４９３６号公報
【発明の概要】
【発明が解決しようとする課題】
【０００５】
本発明は上記従来の事情に鑑みてなされたものであり、その課題とする処は、露光作動終了時、露光に悪影響を与える羽根のバウンドを、より一層、確実に防止することで、撮影タイムラグや連写における高コマ速化ができる撮像装置用フォーカルプレンシャッタ及び撮像装置を提供することにある。
【課題を解決するための手段】
【０００６】
上記の目的を達成するために、本発明による撮像装置用フォーカルプレンシャッタは、被写体光路用の開口部を有する地板と、地板に対して回転可能なアーム及びそのアームに連結された羽根部材とからなる羽根と、羽根と連結されると共に押動部を有する第１駆動部材と、駆動ばねにより露光作動方向に付勢されると共に第１駆動部材と一体的に作動し得る第２駆動部材と、第１駆動部材の押動部に押動される被押動部及び永久磁石を有する係止レバーと、永久磁石と接触し得る鉄芯を有する電磁石と、を備え、第１駆動部材が第２駆動部材と一体的に作動する時、第１駆動部材の押動部が係止レバーの被押動部を係止レバーの永久磁石と電磁石の鉄芯が接触するまで押動するようにしたことを特徴とする。
【０００７】
また、本発明の撮像装置用フォーカルプレンシャッタは、係止レバーには係止部が形成されていて、第１駆動部材には被係止部が形成されており、係止レバーの永久磁石が電磁石の鉄芯に接触した時に第１駆動部材の被係止部が係止レバーの係止部に係止されるようにすることが好ましい。
【０００８】
また、本発明の撮像装置用フォーカルプレンシャッタは、第１駆動部材に対する係止レバーの係合が、電磁石への通電による永久磁石に対する反発により解除されるようにすることが好ましい。
【０００９】
さらに、本発明の撮像装置は、上記撮像装置用フォーカルプレンシャッタを備えている。
【発明の効果】
【００１０】
本発明の撮像装置用フォーカルプレンシャッタ及び撮像装置によれば、第１駆動部材の押動部が、係止レバーの被押動部を、永久磁石が電磁石の鉄芯に完全に接触するまで押動し続けるので、永久磁石が鉄芯に当接した時の係止レバーのバウンドが確実に抑えられ、係止レバーの係止部による第１駆動部材の被係止部の係止を、より一層確実に行うことができる。これにより、撮像装置の使用状況に影響されずに撮影サイクルの短縮、連写のコマ速アップがより一層確実にできる。
【図面の簡単な説明】
【００１１】
【図１】本発明の実施例にかかる撮像装置用フォーカルプレンシャッタにおける外観を示した平面図である。
【図２】本実施例の撮像装置用フォーカルプレンシャッタにおける、セット作動完了後の状態を示す平面図である。
【図３】本実施例の撮像装置用フォーカルプレンシャッタにおける、セット部材を駆動するセット駆動機構部の構成を示す図で、（ａ）は地板側からみた平面図、（ｂ）は（ａ）の側面図である。
【図４】図２の状態からレリーズボタンを押した後、露光作動直前の状態を示す平面図である。
【図５】図４の状態の後に露光作動を行っている途中の状態を示す平面図である。
【図６】図５の状態の後に第１駆動部材が係止レバーに当接した状態を示す平面図である。
【図７】図６の状態の後に係止レバーの永久磁石が鉄芯に当接させられた状態を示す平面図である。
【図８】図７の状態の後に露光作動が終了し、第１駆動部材が係止レバーに係止された状態を示す平面図である。
【図９】図８の状態の後にセット作動を行っている途中の状態を示す平面図である。
【図１０】図９の状態の後にセット作動が進んで、第１駆動部材が係止レバーによる係止を解除された状態を示す平面図である。
【図１１】図１０の状態の後にさらにセット作動が進んで、第１駆動部材が係止レバーに係止された状態を示す平面図である。
【図１２】本実施例の撮像装置用フォーカルプレンシャッタにおける羽根のセット作動の完了状態からレリーズ、露光作動、セット作動までの一連の作動シーケンスを示すタイミングチャートである。
【発明を実施するための形態】
【００１２】
本発明の実施の形態を、図示した実施例によって説明する。本実施例は、ダイレクトタイプのフォーカルプレンシャッタの構成に本発明を適用したものであるが、係止タイプとして構成したものにも適用することが可能である。
【実施例】
【００１３】
先ず、主に、図１〜図３を用いて、本発明の実施例の構成を説明するが、図１は、本実施例の撮像装置用フォーカルプレンシャッタにおける外観を地板側からみた平面図、図２は本実施例の撮像装置用フォーカルプレンシャッタにおける、羽根のセット作動完了後の状態を示す平面図、図３は本実施例の撮像装置用フォーカルプレンシャッタにおける、セット部材を駆動するセット駆動機構部の構成を示す図で、（ａ）は地板側からみた平面図、（ｂ）は（ａ）の側面図である。尚、本実施例の説明においては、本実施例のフォーカルプレンシャッタを撮像装置に組み込んだとき、図１、図２の表面側（手前側）が被写体側（撮影レンズ側）であり、図１の背面側が撮像素子側であることにして説明する。しかしながら、周知のように、デジタルカメラの場合には、図１、図２の表面側を撮像素子側にし、図１、図２の背面側を被写体側にすることを妨げない。また、本発明の実施例の説明においては、先羽根を撮像素子の電子シャッタとし、後羽根をメカニカルな駆動部材により駆動される羽根が、開口部を開閉する構成である。
【００１４】
図１において、地板１には、被写体光路用の開口部１ａが形成されている。また、周知のように、地板１の背面側には、所定の間隔を空けて、補助地板２が取り付けられており、地板１と補助地板２との間に羽根室を構成している。そして、補助地板２にも、開口部１ａの形状や大きさが略同様の開口部２ａが形成されている。そして、被写体光を通過させるためのシャッタユニットとしての開口部の形状は、それらの開口部１ａと２ａの組合せや、地板１と補助地板２以外に設けられた薄板の開口規制部材により形成されることもあるが、本実施例においては、開口部１ａにより被写体光路用の開口部の形状が決められている。
【００１５】
尚、図１では、補助地板２の一部が見えるようにするために、地板１の開口部１ａに隣接する一部の領域を破断して示している。なお、図２、図４〜図１１では、便宜上、図１に示す開口部１ａの右側部分を省略して示してある。
【００１６】
地板１には、図２に示すように、開口部１ａの左側の領域に、円弧状の長孔１ｂが形成されている。長孔１ｂの下方端部には、平面形状が略Ｃ字状をした周知のゴム製の緩衝部材３が取り付けられている。また、補助地板２には、長孔１ｂを形成している領域と重なるため、実際には、長孔１ｂと重なるところに、同じ形状をした図示していない長孔が形成されている。
【００１７】
地板１の表面側には、軸１ｃ，１ｄ，１ｅが立設されている。それらのうち、軸１ｅは、他の軸１ｃ，１ｄよりも短い。また、地板１の背面側、即ち撮像素子側には、軸１ｆ，１ｇが立設されている。それらのうち、軸１ｆは、上記の軸１ｃと同心上に立設されている。また、地板１の表面側には、矩形状の溝からなるストッパ部１ｉが設けられている。
【００１８】
地板１の表面側には、実際には、このほかにも、複数の柱が立設されており、それらの先端には、例えば、特開２００７−２９８５４４号にも記載されているような支持板２３とプリント配線板とが、支持板２３を地板１側にして取り付けられており、その支持板２３の地板１側には、略Ｕ字形をしていて二つの脚部の先端を磁極部とした鉄芯部材と、コイルと、コイルを巻回していて鉄芯部材の一方の脚部に嵌装されたボビンとで構成された、羽根用電磁石が取り付けられている。しかしながら、羽根用電磁石の構成や支持板への取付け構成は周知であるため、図２のほか図４〜図１１において羽根用電磁石については鉄芯部材だけに符号４を付してある。
【００１９】
地板１の表面側に立設されている上記の軸１ｃには、駆動機構を構成している、第１駆動部材１１と第２駆動部材１２とが、第１駆動部材１１の方を地板１側にして、個々に回転可能に取り付けられている。
【００２０】
先ず、第１駆動部材１１は、被押動部１１ａと、駆動ピン１１ｂと、第１被係止部１１ｃと、第１押動部１１ｆと、第２被係止部１１ｄと、第２押動部１１ｅと、第３押動部１１ｇを有している。被押動部１１ａと駆動ピン１１ｂは、表面側と背面側とで重なるように形成されており、背面側に形成されている駆動ピン１１ｂは、地板１の長孔１ｂに挿入されている。そして、この駆動ピン１１ｂは、根元側の部位の断面が円形をしている。また、先端側の部位の断面は砲弾形をしていて、後述のように羽根室内でアーム１７に連結されており、その最先端部を、補助地板２に形成されていて長孔１ｂと同じ形状をした図示していない長孔に挿入している。第３押動部１１ｇは、第１駆動部材１１の第１押動部１１ｆを隔てて第１被係止部１１ｃの反対側に設けられていて、後述する係止レバー１５の第３被押動部１５ｇを押動可能な形状に形成されている。
【００２１】
他方、第２駆動部材１２は、被写体側に分厚く形成した取付部１２ａと、取付部１２ａの地板１側に形成した押動部１２ｃと、被写体側に形成した被押動部１２ｂを有している。そして、周知のように、この第２駆動部材１２は、図示していない駆動ばねの付勢力によって時計方向（図２における軸１ｃを中心とした矢印Ａ方向）へ回転するように付勢されているが、押動部１２ｃは、その回転時に、上記の第１駆動部材１１の被押動部１１ａを押す部位である。
【００２２】
第２駆動部材１２の取付部１２ａには、その内部に、鉄片部材１３と図示していない圧縮ばねとが収容されている。そして、鉄片部材１３は、軸部１３ａの一端に円盤状をした頭部１３ｂを有していて、他端には鉄片部１３ｃを取り付けている。また、この鉄片部材１３は、取付部１２ａ内で軸部１３ａに嵌装されている上記の図示していない圧縮ばねによって、鉄片部１３ｃを取付部１２ａ内から突き出すように付勢されているが、図２では、羽根用電磁石の鉄芯部材４の磁極部に接触し、鉄片部１３ｃが上記の図示していない圧縮ばねの付勢力に抗して取付部１２ａ内に押し込まれ、軸部１３ａの一部が出現し、頭部１３ｂが取付部１２ａから離れた状態となっている。
【００２３】
また、地板１の軸１ｃには、図１に模式的に示すように、ラチェット部材２４が回転可能に取付けられている。ラチェット部材２４は、外周部にラチェット歯（図示していない）を備えており、支持板２３に形成されたラチェット爪（図示していない）の先端をラチェット歯に噛合させられ、ラチェット部材２４の時計方向への回転を阻止されるようになっている。
【００２４】
駆動ばねは、周知のように、一端を第２駆動部材１２の図示していないばね掛け部に掛け、他端をラチェット部材２４の図示していないばね掛け部に掛けて、第２駆動部材１２を時計方向へ回転させるように付勢しており、その付勢力は、ラチェット部材２４を一時的に外し、ラチェット部材２４の回転位置を変えることによって調整できるようになっている。
【００２５】
地板１の表面側に立設されている上記の軸１ｄには、セット部材１４が回転可能に取り付けられている。このセット部材１４は、後述するセット駆動機構部５０のリンクレバー５１の第１レバー５１ａ（図３参照）を回転可能に取り付けた取付部１４ａと、第２駆動部材１２の被押動部１２ｂを押す押動部１４ｂとを有している。
【００２６】
そして、このセット部材１４は、図示していない復帰ばねによって反時計方向（図２における軸１ｄを中心とした矢印Ｂ方向）へ回転するように付勢されているが、図２は、後述するセット駆動機構部５０（図３参照）によって復帰ばねの付勢力に抗して時計方向へ回転させられ、セット位置で停止させられている状態を示したものである。なお、図４では、そのような復帰ばねの付勢力によって反時計方向へ回転させられ、シャッタ地板１に設けられた図示していないストッパ部に当接して、停止させられている状態を示している。以下、セット部材１４については、図４に示されている位置を初期位置とする。
【００２７】
地板１の表面側に立設されている上記の軸１ｅには、係止レバー１５が回転可能に取り付けられている。係止レバー１５は、係止レバー１５の一端に設けられた第１係止部１５ａと、第１被押動部１５ｆと、係止レバー１５の他端に設けられた永久磁石１５ｂと、第２係止部１５ｃと、第２被押動部１５ｄと、当接部１５ｅと、第３被押動部１５ｇを有している。係止レバー１５は、後述する係止レバー用電磁石１６とともに、本発明における係止機構を構成している。
【００２８】
また、係止レバー１５は、係止レバー用電磁石１６の通電が解除されている（即ち、通電がＯＦＦの）状態において、永久磁石１５ｂより発する、係止レバー用電磁石１６に吸着する磁力によって反時計方向（図２における軸１ｅを中心とした矢印Ｃ方向）へ回転するように付勢され、係止レバー用電磁石１６が第１方向に通電（例えば図１２に示すように、正方向に通電ＯＮ）されている状態において、永久磁石１５ｂより発する、係止レバー用電磁石１６から発する磁力と反発する磁力によって時計方向へ回転するように付勢される。図２では、係止レバー用電磁石１６の通電が解除されていて、係止レバー１５は、永久磁石１５ｂによる係止レバー用電磁石１６への吸着力により反時計方向へ回転させられ、永久磁石１５ｂが係止レバー用電磁石１６に当接して反時計方向への回転を停止させられている。
【００２９】
係止レバー１５の第１係止部１５ａは、永久磁石１５ｂが係止レバー用電磁石１６の鉄芯部材１６ａの磁極部に当接した状態に位置するときに、第１駆動部材１１の第１被係止部１１ｃを係止することによって、第１駆動部材１１のセット方向（反時計方向）への回転を抑止するように形成されている。また、第１係止部１５ａは、永久磁石１５ｂが係止レバー用電磁石１６の鉄芯部材１６ａの磁極部に当接した状態に位置するときに、第１駆動部材１１の露光方向への走行終了時における、長孔１ｂの下方端部の緩衝部材３に第１駆動部材１１の駆動ピン１１ｂが当接するときの衝撃により生じる羽根のバウンドを抑止する機能も備えている。  第１被押動部１５ｆは、永久磁石１５ｂが係止レバー用電磁石１６の鉄芯部１６材ａの磁極部に当接した状態に位置するときに、露光方向に走行する第１駆動部材１１の第１押動部１１ｆに摺接されながら押されるように形成されており、第１押動部１１ｆに摺接されながら押されることで、露光方向に走行する第１駆動部材１１を制動する機能を備えている。
【００３０】
第２係止部１５ｃは、永久磁石１５ｂが係止レバー用電磁石１６の鉄芯部材１６ａの磁極部から離れて、当接部１５ｅが地板１のストッパ部１ｉに当接した状態に位置するときに、第１駆動部材１１の第２被係止部１１ｄに係止することによって、第１駆動部材１１の露光方向（図２における時計方向）への回転を抑止するように形成されている。そして、第２係止部１５ｃは、永久磁石１５ｂが係止レバー用電磁石１６の鉄芯部材１６ａの磁極部から離れて、当接部１５ｅが地板１のストッパ部１ｉに当接した状態に位置するときに、第１駆動部材１１のセット方向への戻り走行終了時における長孔１ｂの上方端部に第１駆動部材１１の駆動ピン１１ｂが当接するときの衝撃により生じる羽根のバウンドを抑止する機能を備えている。
【００３１】
第２被押動部１５ｄは、永久磁石１５ｂが係止レバー用電磁石１６の鉄芯部材１６ａの磁極部から離れて、当接部１５ｅが地板１のストッパ部１ｉに当接した状態に位置するときに、セット方向（図２における反時計方向）へ走行する第１駆動部材１１の第２押動部１１ｅに摺接されながら押されるように構成されており、第２押動部１１ｅに摺接されながら押されることで、セット方向へ走行する第１駆動部材１１を制動する機能を備えている。
【００３２】
当接部１５ｅは、地板１のストッパ部１ｉと当接することによって、係止レバー１５の時計方向への回転を停止させるように形成されている。
第３被押動部１５ｇは、第１係止部１５ａと第２係止部１５ｃとの間に設けられていて、第１駆動部材１１の第３押動部１１ｇに押動される形状に形成されている。そして、係止レバー１５の第３被押動部１５ｇと第１駆動部材１１の第３押動部１１ｇは、露光作動方向に回転させられた第１駆動部材１１の第１押動部１１ｆが係止レバー１５の第１被押動部１５ｆを押し退けることにより第１駆動部材１１の第１被係止部１１ｃとの係止を解除する方向に回転させられた係止レバー１５に対し、第１駆動部材１１が露光作動終了位置（即ち、長孔１ｂの下方端部（に設けられたストッパとしての緩衝部材３）に当接する位置）に到達したとき、第１駆動部材１１の第３押動部１１ｇが、係止レバー１５の第３被押動部１５ｇに当接し、係止レバー１５を第１駆動部材１１の第１被係止部１１ｃを係止する方向に回転させることによって、係止レバー１５を第１被係止部１１ｃに係止する位置に強制的に復帰させる機能を備えている。
【００３３】
係止レバー用電磁石１６は、略Ｕ字形をしていて二つの脚部の先端を磁極部とした鉄芯部材１６ａと、コイル１６ｂと、コイル１６ｂを巻回していて鉄芯部材の一方の脚部に嵌装されたボビン１６ｃとで構成されていて、地板１の被写体側に、鉄芯部材１６ａの磁極部が係止レバー１５の永久磁石１５ｂと当接しうるように取り付けられている。そして、係止レバー用電磁石１６は、コイル１６ｂが第１方向に通電されたときに、鉄芯部材１６ａの磁極部より係止レバー１５の永久磁石１５ｂに対して反発する磁力を発し、コイル１６ｂへの通電が解除されたときに、鉄芯部材１６ａの磁極部が磁力を発さず、永久磁石１５ｂの磁力により鉄芯部材１６ａの磁極部に吸着されるように構成されている。
【００３４】
また、地板１の表面側には、このほかに、セット部材１４を駆動するセット部材駆動機構５０が設けられている。セット部材駆動機構５０は、図３（ａ）、図３（ｂ）に示すように、リンクレバー５１と、スライドレバー５２と、カム５３と、歯車列５４と、ハウジング５５と、モータ５６を有している。
【００３５】
リンクレバー５１は、第１レバー５１ａと、第２レバー５１ｂとで構成されている。第１レバー５１ａは、一端がセット部材１４の取付部１４ａに回転可能に取り付けられ、他端が第２レバー５１ｂに回転可能に取り付けられている。第２レバー５１ｂは、一端が地板１に立設された軸１ｘに対して回転可能に取り付けられている。また、第２レバー５１ｂは、中央で第１レバー５１ａを回転可能に取り付けるとともに、他端にスライドレバー５２の当接部５２ｃと当接する当接部５１ｂ−１を備えている。
【００３６】
スライドレバー５２は、一端に被押動部５２ａ、一端と他端との間にピン５２ｂ、他端にリンクレバー５１における第２レバー５１ｂの当接部５１ｂ−１と当接する当接部５２ｃを夫々備えている。被押動部５２ａは、カム５３の押動部５３ａによって押動されうるように設けられている。当接部５２ｃは、リンクレバー５１の当接部５１ｂ−１と当接するように設けられている。ピン５２ｂは、ハウジング５５に設けられたガイド孔５５ａに沿ってガイド可能に設けられている。なお、便宜上、図３では図示を省略したが、ハウジング５５の内部は、スライドレバー５２をガイド孔５５ａの方向に沿って移動可能に収納
するように構成されている。
【００３７】
カム５３は、ハウジング５５の内部で、歯車列５４の歯車５４ｂと同軸上に回転可能に設けられていて、所定の回転角度範囲（図３（ｂ）の例では約１８０度の範囲）にスライドレバー５２の被押動部５２ａを押動可能な押動部５３ａを備えている。押動部５３ａは、軸からの距離が最大且つ一定の円弧状に形成された第１の曲面領域５３ａ−１と、軸からの距離が第１の曲面領域５３ａ−１から離れるにしたがって第１の曲面領域５３ａ−１よりも短くなるように形成された第２の曲面領域５３ａ−２を有している。
歯車列５４は、ハウジング５５の内部に設けられた、互いに噛合する歯車５４ａ、５４ｂで構成されている。
モータ５６は、回転軸上にピニオン５６ａを備え、一方向（図３（ｂ）では時計方向（モータ５６の軸を中心とした矢印Ｘ方向））に回転軸を回転するように構成されている。ピニオン５６ａは、歯車列５４の歯車５４ａに噛合している。
【００３８】
そして、セット部材駆動機構５０は、モータ５６が回転軸を時計方向（図３（ｂ）におけるモータ５６の軸を中心とした矢印Ｘ方向）に回転し、ピニオン５６ａ、歯車５４ａ、歯車５４ｂを介してカム５３が時計方向（図３（ｂ）におけるカム５３の軸を中心とした矢印Ｚ方向）に回転することにより、カム５３の押動部５３ａがスライドレバー５２の被押動部５２ａを押し、スライドレバー５２がピン５２ｂをハウジング５５のガイド孔５５ａにガイドされながら矢印Ｗ方向に移動し、当接部５２ｃがリンクレバー５１の当接部５１ｂ−１を押すことで、第２レバー５１ｂが反時計方向（図３（ａ）における軸１ｘを中心とした矢印Ｖ方向）に回転し、第１レバー５１ａがセット部材１４を図示していない復帰ばねの付勢力に抗して時計方向（図２における軸１ｄを中心とした矢印Ｂ方向とは反対の方向）に回転させる。図３（ａ）はセット部材１４がセット完了位置近くまで回転している状態を示している。
【００３９】
なお、セット部材１４がセット位置に到達したときには、カム５３の押動部５３ａは、軸からの距離が最大且つ一定の第１の曲面領域５３ａ−１がスライドレバー５２の被押動部５２ａを押しており、第１の曲面領域５３ａ−１がスライドレバー５２の被押動部５２ａを押している間は、セット部材１４はセット完了位置に保持されるようになっている。
【００４０】
また、セット部材駆動機構５０は、セット部材１４がセット完了位置に到達した状態からモータ５６が回転軸をさらに時計方向（図３（ｂ）におけるモータ５６の軸を中心とした矢印Ｘ方向）に回転し、ピニオン５６ａ、歯車５４ａ、歯車５４ｂを介してカム５３が時計方向（図３（ｂ）におけるカム５３の軸を中心とした矢印Ｚ方向）に回転することにより、カム５３の押動部５３ａがスライドレバー５２の被押動部５２ａから離れたときに、セット部材１４が、図示していない復帰ばねの付勢力によって反時計方向（図２における軸１ｄを中心とした矢印Ｂ方向）へ回転する。
【００４１】
そのため、リンクレバー５１の第１レバー５１ａを介して第２レバー５１ｂが、時計方向（図３（ａ）における軸１ｘを中心とした矢印Ｖ方向とは反対の方向）に回転し、当接部５１ｂ−１がスライドレバー５２の当接部５２ａを押すことで、スライドレバー５２がピン５２ｂをハウジング５５のガイド孔５５ａにガイドされながら矢印Ｗ方向とは反対の方向に移動する。そして、スライドレバー５２のピン５２ｂが、図３（ａ）におけるハウジング５５のガイド孔５５ａの下端部に当接したときに、スライドレバー５２が停止し、リンクレバー５１、セット部材１４の回転が停止する。そして、このセット部材１４の停止位置が、上述した初期位置となるようになっている。
【００４２】
次に、地板１の背面側の構成を説明する。
地板１と補助地板２との間に配置されている羽根２３は、地板１の上記の軸１ｆに対して一端を回転可能に取り付けられたアーム１７と、地板１の上記の軸１ｇに対して一端を回転可能に取り付けられたアーム１８と、それらの自由端である他端部に向けて順に枢支された４枚の羽根部材１９，２０，２１，２２とで構成されており、羽根部材２２がスリット形成羽根となっている。そして、上記したように、第１駆動部材１１の駆動ピン１１ｂの先端部は、アーム１７に形成された図示していない孔に嵌合している。
【００４３】
また、地板１の軸１ｇには、ねじりコイルばねであるセットばね５が嵌装されていて、その一端を地板１のばね掛け部１ｈに掛け、他端をアーム１８の孔１８ａに掛けて、アーム１８を反時計方向（図２における軸１ｇを中心とした矢印Ｄ方向）へ回転させるように付勢している。そのため、このセットばね５は、羽根２３を介して第１駆動部材１１を反時計方向へ回転させるように付勢しているが、その付勢力は、第２駆動部材１２に掛けられている上記の図示していない駆動ばねの付勢力よりも弱くなっている。そして、このセットばね５の場合、周知の羽根のガタ寄せばね（スリット形成羽根２２の露光作動開始位置を一定にするためにアーム１８に掛けられるばね）の役目を兼用させているが、第１駆動部材１１に直接掛けるように構成しても差し支えないし、二つの駆動部材の間に掛けるように構成しても差し支えない。なお、便宜上、矢印Ａ〜Ｄは図２にのみ示してある。
【００４４】
次に、上記の構成説明に用いた図２と、図４〜図１２とを用いて本実施例の作動を説明する。なお、図１２は、羽根２３のセット作動の完了状態から、デジタルカメラ等の撮像装置のレリーズボタンの押下、露光作動、セット作動までの一連の作動シーケンスを示すタイミングチャートであり、図２、図４〜図１１の作動状態となるタイミングを夫々の図面の数字で示してある。
【００４５】
図２は、既に説明したように、羽根２３のセット作動完了後の状態を示したものである。このとき、第２駆動部材１２は、セット部材１４の時計方向の回転により、図示していない周知の駆動ばねの付勢力に抗して反時計方向に回転させられ、鉄片部材１３の鉄片部１３ｃが羽根用電磁石の鉄芯部材４の磁極部に接触している。また、第１駆動部材１１は、セットばね５の付勢力により第１駆動部材１１を反時計方向へ回転させられているが、第１駆動部材１１の駆動ピン１１ｂが上記した補助地板の長孔の上方端部に当接しているため、この停止状態が維持されている。そして、この時、４枚の羽根部材１９，２０，２１，２２は、重畳状態になって開口部１ａから退いている。そのため、第１駆動部材１１、羽根２３にとっては、このようにして得られた位置が、露光作動開始位置である。
【００４６】
また、係止レバー用電磁石１６の通電が解除されており、係止レバー１５は、上述したように、永久磁石１５ｂより発する、係止レバー用電磁石１６の鉄芯部材１６ａの磁極部に吸着する磁力によって反時計方向に回転させられ、永久磁石１５ｂが係止レバー用電磁石１６の鉄芯部材１６ａの磁極部に当接してその回転を停止させられている。また、このとき、セット部材１４はセット完了位置にあり、押動部１４ｂは、第２駆動部材１２の被押動部１２ｂと当接している。
【００４７】
なお、本実施例のフォーカルプレンシャッタにおける先羽根電子シャッタを用いた方式の撮影は、電子ファインダを用いて撮影する場合であるが、図示していない可動ミラーを備えた撮像装置の場合には可動ミラーがアップ状態になっている。
【００４８】
また、セット部材１４は、次の撮影が行われるまで、図示していない復帰ばねの付勢力に抗して、セット駆動機構部５０（図３参照）によってこの状態を維持させられている。従って、この状態においては、開口部１ａが全開になっているので、被写体像を電子ファインダで観察し、さらには動画撮影することが可能となっている。
【００４９】
次に図２に示されたセット完了状態から、撮影が行われる場合を説明する。電子ファインダで被写体像を観察しながら、撮像装置のレリーズボタンを押すと、実際の撮影（露光作動）を開始する前に、羽根用電磁石が励磁状態になり、鉄片部材１３の鉄片部１３ｃが鉄芯部材４の磁極部に吸着保持される。
次に、セット駆動機構部５０（図３参照）が、リンクレバー５１を介してセット部材１４に対する時計方向へ回転させる力を解くので、セット部材１４は、図示していない復帰ばねの付勢力によって反時計方向へ回転し、初期位置へ復帰させられていく。その復帰作動において、セット部材１４は、押動部１４ｂが第２駆動部材１２の被押動部１２ｂから離れていくので、第２駆動部材１２は、図示していない駆動ばねの付勢力によって時計方向へ回転するが、鉄片部材１３が鉄芯部材４に吸着保持されているため、僅かに回転したところで、取付部１２ａが鉄片部材１３の頭部１３ｂに当接して停止させられる。図４はそのようにして得られた第２駆動部材１２の露光作動開始位置を示している。
【００５０】
その後、セット部材１４が初期位置へ復帰すると、撮像素子の先羽根電子シャッタがＯＮとなり、電子制御回路が撮像素子を制御することによって静止画像の撮影が開始される。そして、被写体の明るさに対応して決められた所定時間が経過すると、羽根用電磁石が消磁（図１２におけるＯＦＦ）される。羽根用電磁石が消磁すると、鉄片部材１３に対する鉄芯部材４の吸引力が失われ、第２駆動部材１２が、駆動ばねの付勢力によって時計方向へ急速に回転させられる。そのため、第２駆動部材１２が回転を開始した直後に、第２駆動部材１２の押動部１２ｃと第１駆動部材１１の被押動部１１ａが当接して、第１駆動部材１１を押しはじめ、第１駆動部材１１を、セットばね５の付勢力に抗して時計方向へ回転させて、４枚の羽根部材１９〜２２が、隣接する羽根同士の重なりを小さくしながら下方へ移動し、スリット形成羽根２２の下端縁で開口部１ａを閉じていく。
【００５１】
その後、第１駆動部材１１が露光方向への回転の終了位置近傍にまで回転したとき、第１駆動部材１１の第１押動部１１ｆが、係止レバー１５の第１被押動部１５ｆを摺接しながら押し、係止レバー１５を永久磁石１５ｂによる鉄芯部材１６ａの磁極部に対する吸着力に抗して、係止レバー１５を時計方向に僅かに回転させる。そのような露光作動の途中の状態が図５に示されている。
【００５２】
図５の状態から、さらに、第１駆動部材１１が、駆動ばねに付勢された第２駆動部材１２に押されて時計方向への回転を続ける。このとき、係止レバー１５の第１の被押動部１５ｆが第１駆動部材１１の第１押動部１１ｆに摺接されながら押されて、係止レバー１５が時計方向へ回転させられることによって、第１駆動部材１１の時計方向の回転を制動する。
【００５３】
しかし、第１駆動部材１１は、さらに時計方向へ回転し、駆動ピン１１ｂが長孔１ｂの下方端部に設けられた緩衝部材３に当接する。また、第１駆動部材１１の第１押動部１１ｆによる係止レバー１５の第１被押動部１５ｆへの摺接が解除され、図６に示すように、第１駆動部材１１の第３押動部１１ｇが係止レバー１５の第３被押動部１５ｇに当接する。その後さらに、第１駆動部材１１は時計方向に回転し、係止レバー１５は、反時計方向（即ち、第１駆動部材１１の第１被係止部１１ｃを係止する方向）に弾かれ、第１被係止部１１ｃを係止する位置に強制的に復帰される。
【００５４】
このため、係止レバー１５は、第１駆動部材１１に押されることによって第１駆動部材１１の第１被係止部１１ｃとの係止を解除する方向へ回転させられた位置から、第１駆動部材１１の駆動ピン１１ｂが緩衝部材３に当接したときの衝撃で発生するバウンドを抑止する位置へ向けて反時計方向に回転させられる。この時、第１駆動部材は、係止レバー５を永久磁石１５ｂが係止レバー用電磁石１６の鉄芯部材１６ａの磁極部に確実に接触して吸着するまで押動し続ける。このような状態が図７に示されている。
【００５５】
これにより、係止レバー１５の第１係止部１５ａによる第１駆動部材１１の第１被係止部１１ｃの係止位置への復帰を、第１駆動部材１１の駆動ピン１１ｂが、緩衝部材３に当接した際の衝撃でバウンドしてスリット形成羽根２２が開口部１ａを開放する方向に戻るよりも前に確実に完了し維持できるようになる。またこれにより、第１駆動部材１１は、駆動ピン１１ｂが長孔１ｂの下方端部に当接したときの、緩衝部材３によっては解消しきれない衝撃によるバウンドを確実に抑止され、露光に悪影響を与える羽根の戻り（本実施例では開口部１ａからの羽根開き）が阻止される。そして、第１駆動部材１１の駆動ピン１１ｂの緩衝部材３への当接と殆ど時期を同じくして、先羽根電子シャッタがＯＦＦとなる。そのときの露光作動の終了状態が図８に示されている。
【００５６】
ところで、従来においては、駆動部材１１の第３押動部１１ｇが、係止レバー１５の第３被押動部１５ｇに当接して係止レバー１５を反時計方向に回転させるものの、その当接状態は、永久磁石５ｂが鉄芯部材１６ａに接触するまで続かないため、係止レバー１５は途中から慣性で反時計方向に回転させられることになる。そのため、撮像装置の使用環境によっては、永久磁石１５ｂと鉄芯１６ａが当接した時の衝撃で、係止レバー１５がバウンドして時計方向に回転させられて戻ってしまうことがあった。この時、第１駆動部材１１の駆動ピン１ｂが緩衝部材３に当接した時のバウンドや、アームと羽根部材を介して第１駆動部材１１が付勢されるセットばね５の付勢力の影響により、第１駆動部材１１が反時計方向に回転させられて戻ってしまい、第１被係止部１１ｃが第１係止部１５ａに係止される係止位置を越えるところまで回転させられて係止されない場合があった。
【００５７】
しかし、本実施例においては、図７に示されるように、第１駆動部材の第３押動部１１ｇが、係止レバー１５の第３被押動部１５ｇを、永久磁石１５ｂが鉄芯１６ａに完全に接触するまで押動し続けるので、係止レバー１５のバウンドが確実に抑えられ、係止レバー１５の第１係止部１５ａによる第１駆動部材の第１被係止部１１ｃの係止を、より一層確実に行うことができる。これにより、撮像装置の使用状況に影響されずに撮影サイクルの短縮、連写のコマ速アップがより一層確実にできる。
【００５８】
次にセット作動について説明する。本実施例のフォーカルプレンシャッタは、先羽根電子シャッタ方式での撮影時において、羽根２３による露光作動が終了し、図８に示された状態になると、直ちに静止画像の撮像情報が撮像素子から情報処理回路を介して記憶装置に転送されるが、撮像情報転送中にセット部材１４に羽根のセット作動を開始させても、羽根部材１９〜２２は開口部１ａを覆ったままであって撮像素子には光が当たらないようにし、撮像情報転送の完了後であって、且つセット部材１４による羽根２３のセット作動が終了する前に羽根２３に開き作動を行わせ、開口部１ａを全開状態にさせるようにしている。そのため、撮影に際して撮像装置のレリーズボタンを押してから、撮影が終了し、次の撮影待機状態が得られるまでの一連の撮影サイクルが短くなって、撮影サイクルの短縮、連写のコマ速アップがより一層確実にできる。
【００５９】
さらに、本実施例のフォーカルプレンシャッタは、羽根２３がセット作動の終了直前になってから、セットばね５の付勢力により開口部１ａの閉鎖状態から全開状態に戻る時、第１駆動部材１１の駆動ピン１１ｂが図示されない補助地板２の長孔の上方端部に当接してバウンドが発生することがある。そのため、このバウンドが収まらないと、露光作動を行ったときの羽根２３のスタート位置が不安定になってしまい露光ムラの原因にもなるため、羽根２３のバウンドが収束するまで露光作動が行えなかった。しかし、本実施例のフォーカルプレンシャッタにおいては、羽根２３が開口部１ａの閉鎖状態から全開状態にした露光作動開始位置に戻る時のバウンドを抑えるバウンド抑止機構として係止レバー１５に第２係止部１５ｃを備えたことにより、バウンドを抑えることができる。これにより、撮影に際して撮像装置のレリーズボタンを押してから、撮影が終了し、次の撮影待機状態が得られるまでの一連の撮影サイクルが短くなって、撮影サイクルの短縮、連写のコマ速アップがより一層確実にできる。
【００６０】
しかも、本実施例のフォーカルプレンシャッタにおいては、係止機構を、軸を中心として回転可能であって、一端に第１駆動部材１１に設けられている第１被係止部１１ｃを係止して第１駆動部材１１のセット作動方向への回転を抑止する第１係止部１５ａを有するとともに、他端に永久磁石１５ｂを有する係止レバー１５と、片側方向の通電により永久磁石１５ｂに対して反発する磁力を発する係止レバー用電磁石１６とを有し、係止レバー用電磁石１６への片側方向のみの通電と該通電の解除との切換えに応じて、係止レバー１５を第１駆動部材の第１被係止部１１ｃを係止する方向と該係止を解除する方向とに切換えて回転させるようにしたので、第１係止部１５ａによる第１被係止部１１ｃへの係止時に通電を解除し、係止を解除する時のみ片側方向に通電するように通電を制御することで、通電時間を減らして消費電力を低減させることができる。
【００６１】
そこで、以下においては、本実施例のフォーカルプレンシャッタがそのような作動を好適に行えることを、具体的に説明する。露光作動が終了して図８の状態が得られると、本実施例の場合には、上記したように、直ちにセット作動が開始されるが、羽根２３のセット作動は、セット駆動機構部５０（図３参照）が、リンクレバー５１を介して図示していない復帰ばねの付勢力に抗してセット部材１４を時計方向へ回転させることによって行な
われる。
【００６２】
羽根２３のセット作動が開始されると、セット部材１４の押動部１４ｂが第２駆動部材１２の被押動部１２ｂを押し、第２駆動部材１２を図示していない駆動ばねの付勢力に抗して反時計方向へ回転させ始める。このとき、第１駆動部材１１には、セットばね５により、羽根２３を反時計方向へ回転する力が与えられているが、係止レバー１５の第１係止部１５ａが第１駆動部材１１の第１被係止部１１ｃを係止することによって、第１駆動部材１１の反時計方向への回転を抑止させられる。
【００６３】
その後も、セット部材１４は時計方向への回転を続けるので、第２駆動部材１２は、被押動部１２ｂが押動部１４ｂに押され、図示していない駆動ばねの付勢力に抗して反時計方向へ回転させられるが、第１駆動部材１１は、係止レバー１５の第１係止部１５ａに第１被係止部１１ｃを係止されているので、セットばね５の付勢力により反時計方向へ回転させることができない。そのため、４枚の羽根部材１９〜２２は、開口部１ａを覆ったままの状態で、第２駆動部材１２だけが反時計方向へ回転を続けることになる。
【００６４】
その後、第２駆動部材１２に取り付けられている鉄片部材１３の鉄片部１３ｃが、羽根用電磁石の鉄芯部材４の磁極部に接触するが、このころまでには既に、上記した記憶装置への静止画像の撮像情報の転送は終わっている。セット部材１４は、その後も僅かに回転し、セット完了位置で停止させられる。そのときの状態が図９に示されている。
【００６５】
また、鉄片部材１３の鉄片部１３ｃが鉄芯部材４の磁極部に接触するころには、係止レバー用電磁石１６のコイル１６ｂに対する正方向への通電がＯＮとなり、鉄芯部材１６ａの磁極部より係止レバー１５の永久磁石１５ｂに対して反発する磁力を発する。これにより、係止レバー１５が時計方向に回転し、第１係止部１５ａによる第１駆動部材１１の第１被係止部１１ｃへの係止を解く。また、係止レバー１５は、当接部１５ｅが地板１のストッパ部１ｉと当接したときに、時計方向への回転を停止させられる。
【００６６】
第１駆動部材１１は、係止レバー１５の第１係止部１５ａによる第１被係止部１１ｃへの係止を解かれると、セットばね５の付勢力によって反時計方向へ回転を開始する。そして、４枚の羽根部材１９〜２２は、隣接する羽根同士の重なりを大きくしつつ上方へ移動し、開口部１ａを開いていく。
【００６７】
そして、第１駆動部材１１の反時計方向の回転を伴った羽根２３のセット方向への戻り走行の途中で、第２押動部１１ｅが係止レバー１５の第２被押動部１５ｄに摺接しながら押し、係止レバー１５を永久磁石１５ｂによる、係止レバー用電磁石１６のコイル１６ｂに対する正方向への通電時の鉄芯部材１６ａの磁極部から発する磁力に対する反発力に抗して、係止レバー１５を反時計方向に僅かに回転させる。そのような第１駆動部材１１のセット位置への戻り走行の途中の状態が図１０に示されている。
【００６８】
図１０の状態から、さらに、第１駆動部材１１は、反時計方向への回転を続ける。この時、係止レバー１５の第２被押動部１５ｄが第１駆動部材１１の第２押動部１１ｅに摺接されながら押されて、係止レバー１５が反時計方向に回転させられることによって、第１駆動部材１１の反時計方向の回転を制動する。その後、さらに第１駆動部材１１は、反時計方向へ回転し、駆動ピン１１ｂが図示されない補助地板２の長孔の上方端部に当接する。このとき、第１駆動部材１１の第２押動部１１ｅによる係止レバー１５の第２被押動部１５ｄへの摺接が解除される。このため、係止レバー１５は、永久磁石１５ｂによる、係止レバー用電磁石１６のコイル１６ｂに対する片側方向への通電時の鉄芯部材１６ａの磁極部から発する磁力に対する反発力により、再び時計方向に回転させられ、当接部１５ｅがストッパ部１ｉと当接し、第２係止部１５ｃが、第１駆動部材１１の第２被係止部１１ｄを係止しうるようになる。
【００６９】
これにより、第１駆動部材１１は、補助地板２の長孔の上方端部に当接したときの衝撃によるバウンドを抑止される。これにより、第１駆動部材１１の反時計方向の回転を伴った羽根２３のセット作動が完了し、第１駆動部材１１と羽根２３の作動が停止する。そのときの状態が図１１に示されている。
【００７０】
図１１の状態の後、係止レバー用電磁石１６のコイル１６ｂに対する通電が解除され、鉄芯部材１６ａの磁極部より発していた永久磁石１５ｂに対して反発する磁力を発しなくなる。すると、係止レバー１５の永久磁石１５ｂによる係止レバー用電磁石１６の鉄芯部材１６ａの磁極部への吸着力により、係止レバー１５が反時計方向に回転し、第２係止部１５ｃによる第１駆動部材１１の第２被係止部１１ｄに対する係止が解かれる。そして、係止レバー１５は、永久磁石１５ｂが鉄芯部材１６ａの磁極部に吸着して当接したときに、反時計方向への回転を停止させられる。
【００７１】
そのようにして、第１駆動部材１１が、係止レバー１５の第２係止部１５ｃによる第２被係止部１１ｄとの係止を解かれ、セットばね５の付勢力によって、４枚の羽根１９〜２２が開口部１ａを開いた状態を保持される。そのときの状態が図２に示されている。この図２の状態においては、セット部材１４の押動部１４ｂが第２駆動部材１２の被押動部１２ｂを押動しているので、係止レバー用電磁石１６のコイル１６ｂに対する通電を解除しても、開口部１ａは全開状態が維持されており、被写体像を電子ファインダで観察することができる。
【００７２】
このように、本実施例における係止レバー１５は、露光作動の最終段階において第２駆動部材１２と一体的に作動する第１駆動部材１１の回転を制動し、また、露光作動終了時にはそれら駆動部材のバウンドを抑止し、また、セット作動が開始されてから、撮像情報が撮像素子から転送され終わるまで、開口部１ａを４枚の羽根部材１９〜２２によって覆っているようにするために、第１駆動部材１１を係止し、さらに、セット作動が完了する前までに羽根２３をセット位置に戻す時には、第１駆動部材１１の駆動ピン１１ｂが補助地板２の長孔の上方端部に当接したときのバウンドを抑止することができる。そのため、本実施例の係止機構によれば、シャッタの構成の複雑化、大型化を防止できる。
【００７３】
また、図２に示されているセット作動の完了直後の状態において、既に説明したように、本実施例の場合には、セット作動完了直前に行われる羽根２３のセット位置への戻り作動において、係止レバー１５の第２被押動部１５ｄにより第１駆動部材１１の回転が制動され、さらに第２係止部１５ｃにより第１駆動部材１１がセット位置で係止されるため、セット位置に戻ったときの羽根２３のバウンドが抑えられ、羽根２３が静止するまでの時間が短くなる。その結果、本実施例のフォーカルプレンシャッタによれば、次の撮影を行えるようになるまでの時間がより一層短くなり、特に連写を行えるようにした撮像装置に用いて有利になる。
【００７４】
尚、本実施例のセット作動は、上記のように、セット部材１４が、セット駆動機構部５０のリンクレバー５１を介して、図示していない復帰ばねの付勢力に抗して回転させられることによって行われるが、本発明の撮像装置用フォーカルプレンシャッタは、そのような構成に限定されるものではない。周知のように、撮像装置本体側の部材に直接押されて回転させられるように構成してもよい。また、セット部材１４を初期位置へ復帰させるための復帰ばねは、本実施例のように、セット部材１４に掛けてもよいが、セット駆動機構部５０のリンクレバー５１に掛けるようにしても構わない。
【００７５】
ところで、既に述べたように、本発明は、係止タイプのフォーカルプレンシャッタとして実施することも可能であるが、上記の実施例は、ダイレクトタイプのフォーカルプレンシャッタとして構成したものである。そして、実施例の説明の中においては、係止タイプのフォーカルプレンシャッタとして構成したときは、セット部材をセット作動終了後、直ちに初期位置へ復帰させることなく、実施例におけるセット部材の場合と同様に、撮影の初期段階であって露光作動が開始される前に、初期位置へ復帰させるようにする必要があることを説明した。そのため、その説明だけで、本発明を、係止タイプのフォーカルプレンシャッタとして実施することも可能であることが、充分に理解できると考えるが、念のため、実施例の構成を係止タイプのフォーカルプレンシャッタにする場合の構成を、簡単に説明しておく。
【００７６】
先ず、第２駆動部材１２には、本実施例のように鉄片部材１３を取り付けず、それに代わって被係止部を形成しておく。そして、図１１のセット完了状態においては、第２駆動部材１２は、被係止部が係止レバーに係止される位置を越えるところまで回転されているようにしておき、撮像装置のレリーズボタンが押され、本実施例のようにセット部材１４が初期位置へ復帰するときの初期段階で、係止レバーに係止されるようにする。そして、その後、セット部材１４が初期位置へ復帰するまでの作動は、上記の実施例の場合と全く同じである。
【００７７】
他方、上記の係止レバーの係止を解除するために設けられている係止解除部材は、セット部材１４が、上記のようにして、初期位置へ復帰作動を開始する前に、ばねの付勢力に抗して、羽根用電磁石に吸着保持されるようにする。そして、その後、セット部材１４が、上記のように作動して、図４に示された初期位置へ復帰すると、羽根用電磁石に対する通電を断つ。それにより、上記の係止解除部材は、上記のばねの付勢力で作動し、上記の係止レバーによる係止を解除するので、第２駆動部材１２は、露光作動を開始する。そして、セット作動時には、セット部材１４の作動に連動して、上記の係止解除部材が、羽根用電磁石に対して接触させられるようにする。尚、このような作動が得られるようにするための構成は種々知られているが、その一例が、特開２００１−２１５５５５号公報にも記載されている。
【００７８】
また、本実施例において説明した、片側通電により係止と係止解除を切換えることができ、且つ、セット方向への戻り時の衝撃により生ずるバウンドを抑止するバウンド抑止機構を備えた、本発明の係止機構の構成は、先羽根用、後羽根用のいずれの駆動部材に対しても適用可能である。
また、本発明は、ノーマリーオープン方式を採用した、先羽根用駆動部材を介して先羽根を開閉し、後羽根用駆動部材を介して後羽根を開閉する構成にも適用可能である。
【符号の説明】
【００７９】
１                              地板
１ａ，２ａ                      開口部
１ｂ                            長孔
１ｃ，１ｄ，１ｅ，１ｆ，１ｇ，１ｘ        軸
２                              補助地板
３                              緩衝部材
４                              鉄芯部材
１１                            第１駆動部材
１１ａ                          被押動部
１１ｂ                          駆動ピン
１１ｃ                          第１被係止部
１１ｄ                          第２被係止部
１１ｅ                          第２押動部
１１ｆ                          第１押動部
１１ｇ                          第３押動部
１２                            第２駆動部材
１２ａ                          取付部
１２ｂ                          被押動部
１２ｃ                          押動部
１３                            鉄片部材
１４                            セット部材
１４ａ                          取付部
１４ｂ                          押動部
１５                            係止レバー
１５ａ                          第１係止部
１５ｂ                          永久磁石
１５ｃ                          第２係止部
１５ｄ                          第２被押動部
１５ｅ                          当接部
１５ｆ                          第１被押動部
１５ｇ                          第３被押動部
１６                            係止レバー用電磁石
１６ａ                          鉄芯部材
１７，１８                      アーム
１９，２０，２１，２２          羽根部材
２３                            支持板
２４                            ラチェット部材
５０                            セット駆動機構部
５１                            リンクレバー
５１ａ                          第１レバー
５１ｂ                          第２レバー
５１ｂ−１                      当接部
５２                            スライドレバー
５２ａ                          被押動部
５２ｂ                          ピン
５２ｃ                          当接部
５３                            カム
５３ａ                          押動部
５３ａ−１                      第１曲面領域
５３ａ−２                      第２曲面領域
５４                            歯車列
５４ａ，５４ｂ                  歯車
５５ａ                          ガイド孔
５６                            モータ
５６ａ                          ピニオン
【図１】
2017067906.tif 000003
【図２】
2017067906.tif 000004
【図３】
2017067906.tif 000005
【図４】
2017067906.tif 000006
【図５】
2017067906.tif 000007
【図６】
2017067906.tif 000008
【図７】
2017067906.tif 000009
【図８】
2017067906.tif 000010
【図９】
2017067906.tif 000011
【図１０】
2017067906.tif 000012
【図１１】
2017067906.tif 000013
【図１２】
2017067906.tif 000014